(57)【要約】【課題】所定規格で定められている電圧とは異なる電圧を受電するように設計されている受電装置に適切な電圧を供給可能な給電装置を提供すること。【解決手段】ＡＶレシーバー１は、ＰｏＥで定められた４８Ｖ電圧と、４８Ｖ電圧と電位が異なる２４Ｖ電圧と、を供給するＰｏＥ用電源３と、ＰｏＥに従った受電装置と通信を行うためのＰｏＥコントローラ６と、ＰｏＥコントローラ６が、接続された受電装置がＰｏＥ規格に従っていると判断した場合、ＰｏＥコントローラ６に、その受電装置にＰｏＥ電源３からの４８Ｖ電圧を供給させ、ＰｏＥコントローラ６が、接続された受電装置がＰｏＥに従っていないと判断した場合、その受電装置にＰｏＥ用電源３からの２４Ｖ電圧を供給するマイクロコンピュータ２と、を備える。【選択図】図３
2017011958.tif 000002
【特許請求の範囲】
【請求項１】
第１規格で定められた第１電圧と、前記第１電圧と電位が異なる第２電圧と、を供給する電源部と、
前記第１規格に従った受電装置と通信を行うための第１コントローラと、
前記第１コントローラが、接続された受電装置が前記第１規格に従っていると判断した場合、前記第１コントローラに、その受電装置に前記電源部からの前記第１電圧を供給させ、
前記第１コントローラが、接続された受電装置が前記第１規格に従っていないと判断した場合、その受電装置に前記電源部からの前記第２電圧を供給する制御部と、
を備えることを特徴とする給電装置。
【請求項２】
前記第１コントローラは、受電装置に所定電位の電圧を供給して、受電装置からの電流を測定し、
前記制御部は、前記第１コントローラが測定した電流に基づいて、受電装置が備える抵抗の抵抗値を検出し、検出した抵抗値が所定の抵抗値であり、且つ、前記第１コントローラが、接続された受電装置が前記第１規格に従っていないと判断した場合、その受電装置に前記電源部からの前記第２電圧を供給することを特徴とする請求項１に記載の給電装置。
【請求項３】
前記制御部は、検出した抵抗値が前記所定の抵抗値ではなく、且つ、前記第１コントローラが、接続された受電装置が前記第１規格に従っていないと判断した場合、その受電装置に前記電源部からの電圧を供給しないことを特徴とする請求項２に記載の給電装置。
【請求項４】
前記第１電圧は、第２規格で定められた電圧と同電位であり、
前記第１規格は、前記第２規格の上位規格であり、
前記第２規格に従った受電装置と通信を行うための第２コントローラをさらに備え、
前記制御部は、
前記第１コントローラが、接続された受電装置が前記第１規格に従っていると判断し、且つ、前記第２コントローラが、接続された受電装置が前記第２規格に従っていると判断した場合、前記第１コントローラに、その受電装置に前記電源部からの前記第１電圧を供給させ、
前記第１コントローラが、接続された受電装置が前記第１規格に従っていないと判断した場合、その受電装置に前記電源部からの前記第２電圧を供給することを特徴とする請求項１に記載の給電装置。
【請求項５】
前記制御部は、接続された受電装置に前記電源部からの前記第２電圧を供給した後、前記第２コントローラによる接続された受電装置との接続が確立した場合、接続された受電装置に前記電源部からの前記第２電圧を供給し続けることを特徴とする請求項４に記載の給電装置。
【請求項６】
前記制御部は、接続された受電装置に前記電源部からの前記第２電圧を供給した後、前記第２コントローラによる接続された受電装置との接続が確立しなかった場合、接続された受電装置への前記電源部からの前記第２電圧の供給を停止することを特徴とする請求項４に記載の給電装置。
【請求項７】
前記第１コントローラを介して前記電源部に接続される経路と、前記第１コントローラを介さず前記電源部に接続される経路と、を切り替える切替部をさらに備え、
前記制御部は、前記第１コントローラが、接続された受電装置が前記第１規格に従っていないと判断した場合、前記切替部により前記第１コントローラを介さず前記電源部に接続される経路に切り替え、その受電装置に前記電源部からの前記第２電圧を供給することを特徴とする請求項１に記載の給電装置。
【請求項８】
前記第２電圧は、前記第１電圧よりも電位が低いことを特徴とする請求項１〜７のいずれか１項に記載の給電装置。
【請求項９】
前記第２電圧は、前記第１電圧よりも電位が高いことを特徴とする請求項１〜７のいずれか１項に記載の給電装置。
【請求項１０】
前記第１規格は、ＰｏＥであることを特徴とする請求項１〜９のいずれか１項に記載の給電装置。
【請求項１１】
前記第２規格は、ＰｏＨであることを特徴とする請求項４〜６のいずれか１に記載の給電装置。
【請求項１２】
所定規格で定められた第１電圧と、前記第１電圧と電位が異なる第２電圧と、を供給する電源部と、
接続される受電装置が備える抵抗の抵抗値を検出し、検出した抵抗値が、前記所定規格で定められた抵抗値である場合、その受電装置に前記電源部からの前記第１電圧を供給し、
検出した抵抗値が、前記所定規格とは異なる規格で定められた抵抗値である場合、その受電装置に前記電源部からの前記第２電圧を供給する制御部と、
を備えることを特徴とする給電装置。
【発明の詳細な説明】
【技術分野】
【０００１】
本発明は、ネットワークケーブルを介して受電装置に給電を行う給電装置に関する。
【背景技術】
【０００２】
近年、通信に使用されるＬＡＮ（Local Area Network）ケーブル等のネットワークケーブルを介して、受電装置に給電を行う給電装置がある。ネットワークケーブルを介した電力供給に関する規格として、ＰｏＥ（Power over Ethernet（登録商標））がある。ＰｏＥは、ＩＥＥＥ８０２．３ａｆとして標準化されている。また、ＰｏＥを拡張したＰｏＥ  Ｐｌｕｓは、ＩＥＥＥ８０２．３ａｔとして標準化されている。また、ＰｏＥに類似する規格として、ＰｏＨ（Power over HDBaseT（登録商標））が開発された（例えば、特許文献１参照。）。ＰｏＨでは、Ｅｔｈｅｒｎｅｔ（登録商標）信号だけでなく、ＨＤＭＩ（登録商標）信号等の伝送も可能となった。
【先行技術文献】
【特許文献】
【０００３】
【特許文献１】特開２０１４−０７１４３６号公報
【発明の概要】
【発明が解決しようとする課題】
【０００４】
ＰｏＥ、ＰｏＨでは、給電装置（ＰＳＥ（Power Sourcing Equipment））から受電装置（ＰＤ（Powered Device））に供給される電圧は、４８Ｖと定められている。しかしながら、ＰｏＥ、ＰｏＨで定められている電圧とは異なる電圧（例えば、２４Ｖ）を受電するように設計されている受電装置が存在する。従来の給電装置は、このような受電装置に適切な電圧を供給することができないという問題がある。
【０００５】
本発明の目的は、所定規格で定められている電圧とは異なる電圧を受電するように設計されている受電装置に適切な電圧を供給可能な給電装置を提供することである。
【課題を解決するための手段】
【０００６】
第１の発明の給電装置は、第１規格で定められた第１電圧と、前記第１電圧と電位が異なる第２電圧と、を供給する電源部と、前記第１規格に従った受電装置と通信を行うための第１コントローラと、前記第１コントローラが、接続された受電装置が前記第１規格に従っていると判断した場合、前記第１コントローラに、その受電装置に前記電源部からの前記第１電圧を供給させ、前記第１コントローラが、接続された受電装置が前記第１規格に従っていないと判断した場合、その受電装置に前記電源部からの前記第２電圧を供給する制御部と、を備えることを特徴とする。
【０００７】
本発明では、制御部は、第１コントローラが、接続された受電装置が第１規格に従っていないと判断した場合、その受電装置に電源部からの第２電圧を供給する。これにより、第１規格で定められている第１電圧とは異なる第２電圧を受電するように設計されている受電装置に適切な電圧を供給することができる。
【０００８】
第２の発明の給電装置は、第１の発明の給電装置において、前記第１コントローラは、受電装置に所定電位の電圧を供給して、受電装置からの電流を測定し、前記制御部は、前記第１コントローラが測定した電流に基づいて、受電装置が備える抵抗の抵抗値を検出し、検出した抵抗値が所定の抵抗値であり、且つ、前記第１コントローラが、接続された受電装置が前記第１規格に従っていないと判断した場合、その受電装置に前記電源部からの前記第２電圧を供給することを特徴とする。
【０００９】
第１規格に従っていない受電装置は、ベンダー固有規格の検出抵抗として、例えば、抵抗値３３ｋΩの検出抵抗を備える。本発明では、第１コントローラが測定した電流に基づいて、受電装置が備える抵抗の抵抗値を検出し、検出した抵抗値が所定の抵抗値（例えば、３３ｋΩ）であり、且つ、第１コントローラが、接続された受電装置が第１規格に従っていないと判断した場合、その受電装置に電源部からの第２電圧を供給する。これにより、所定の抵抗値の検出抵抗を備える、ベンダー固有規格に従うが、第１規格に従っていない受電装置に、適切な電圧を供給することができる。
【００１０】
第３の発明の給電装置は、第２の発明の給電装置において、前記制御部は、検出した抵抗値が前記所定の抵抗値ではなく、且つ、前記第１コントローラが、接続された受電装置が前記第１規格に従っていないと判断した場合、その受電装置に前記電源部からの電圧を供給しないことを特徴とする。
【００１１】
本発明では、制御部は、検出した抵抗値が所定の抵抗値ではなく、且つ、第１コントローラが、接続された受電装置が第１規格に従っていないと判断した場合、その受電装置に電源部からの電圧を供給しない。これにより、ベンダー固有規格の検出抵抗を有していない、ベンダー固有規格に従っていない受電装置に電圧が供給されることを防止することができる。
【００１２】
第４の発明の給電装置は、第１の発明の給電装置において、前記第１電圧は、第２規格で定められた電圧と同電位であり、前記第１規格は、前記第２規格の上位規格であり、前記第２規格に従った受電装置と通信を行うための第２コントローラをさらに備え、前記制御部は、前記第１コントローラが、接続された受電装置が前記第１規格に従っていると判断し、且つ、前記第２コントローラが、接続された受電装置が前記第２規格に従っていると判断した場合、前記第１コントローラに、その受電装置に前記電源部からの前記第１電圧を供給させ、前記第１コントローラが、接続された受電装置が前記第１規格に従っていないと判断した場合、その受電装置に前記電源部からの前記第２電圧を供給することを特徴とする。
【００１３】
第５の発明の給電装置は、第４の発明の給電装置において、前記制御部は、接続された受電装置に前記電源部からの前記第２電圧を供給した後、前記第２コントローラによる接続された受電装置との接続が確立した場合、接続された受電装置に前記電源部からの前記第２電圧を供給し続けることを特徴とする。
【００１４】
第６の発明の給電装置は、第４の発明の給電装置において、前記制御部は、接続された受電装置に前記電源部からの前記第２電圧を供給した後、前記第２コントローラによる接続された受電装置との接続が確立しなかった場合、接続された受電装置への前記電源部からの前記第２電圧の供給を停止することを特徴とする。
【００１５】
本発明では、制御部は、接続された受電装置に電源部からの第２電圧を供給した後、第２コントローラによる接続された受電装置との接続が確立しなかった場合、接続された受電装置への電源部からの第２電圧の供給を停止する。これにより、ベンダー固有規格に従っていない受電装置に電圧が供給されることを防止することができる。
【００１６】
第７の発明の給電装置は、第１の発明の給電装置において、前記第１コントローラを介して前記電源部に接続される経路と、前記第１コントローラを介さず前記電源部に接続される経路と、を切り替える切替部をさらに備え、前記制御部は、前記第１コントローラが、接続された受電装置が前記第１規格に従っていないと判断した場合、前記切替部により前記第１コントローラを介さず前記電源部に接続される経路に切り替え、その受電装置に前記電源部からの前記第２電圧を供給することを特徴とする。
【００１７】
第８の発明の給電装置は、第１〜第７の発明のいずれかの給電装置において、前記第２電圧は、前記第１電圧よりも電位が低いことを特徴とする。
【００１８】
第９の発明の給電装置は、第１〜第７の発明のいずれかの給電装置において、前記第２電圧は、前記第１電圧よりも電位が高いことを特徴とする。
【００１９】
第１０の発明の給電装置は、第１〜第９の発明のいずれかの給電装置において、前記第１規格は、ＰｏＥであることを特徴とする。
【００２０】
第１１の発明の給電装置は、第４〜第６の発明のいずれかの給電装置において、前記第２規格は、ＰｏＨであることを特徴とする。
【００２１】
第１２の発明の給電装置は、所定規格で定められた第１電圧と、前記第１電圧と電位が異なる第２電圧と、を供給する電源部と、接続される受電装置が備える抵抗の抵抗値を検出し、検出した抵抗値が、前記所定規格で定められた抵抗値である場合、その受電装置に前記電源部からの前記第１電圧を供給し、検出した抵抗値が、前記所定規格とは異なる規格で定められた抵抗値である場合、その受電装置に前記電源部からの前記第２電圧を供給する制御部と、を備えることを特徴とする。
【００２２】
本発明では、制御部は、接続される受電装置が備える抵抗の抵抗値を検出し、検出した抵抗値が、所定規格とは異なる規格で定められた抵抗値である場合、その受電装置に電源部からの第２電圧を供給する。これにより、所定規格で定められている第１電圧とは異なる第２電圧を受電するように設計されている受電装置に適切な電圧を供給することができる。
【発明の効果】
【００２３】
本発明によれば、所定規格で定められている電圧とは異なる電圧を受電するように設計されている受電装置に適切な電圧を供給することができる。
【図面の簡単な説明】
【００２４】
【図１】本発明の実施形態に係るＡＶレシーバーの構成を示すブロック図である。
【図２】ＰｏＥコントローラによる、接続された受電装置の検出、分類の動作を示すフローチャートである。
【図３】受電装置に電圧供給を開始する場合のＡＶレシーバーの動作を示すフローチャートである。
【発明を実施するための形態】
【００２５】
以下、本発明の実施形態について説明する。図１は、本実施形態に係るＡＶレシーバーの構成を示すブロック図である。ＡＶレシーバー１（給電装置）は、例えば、図示しないBlu-ray（登録商標） Discプレーヤー（以下、「ＢＤプレーヤー」という。）とＨＤＭＩ（登録商標）ケーブルで接続されている。ＡＶレシーバー１は、ＢＤプレーヤーから送信されるＨＤＭＩ（登録商標）に従った映像信号及び音声信号を受信する。ＡＶレシーバー１は、受信した映像信号に画質調整、スケーラ変換等の映像処理を行って、図示しない表示装置に出力する。また、ＡＶレシーバー１は、受信した音声信号にＤ／Ａ変換、増幅等の音声処理を行って、図示しないスピーカーに出力する。なお、ＡＶレシーバー１が行う映像処理、音声処理に関する構成については、図示せず、以下では説明を省略する。
【００２６】
ＡＶレシーバー１には、例えば、ＲＪ４５ケーブル（ＬＡＮケーブル）を介して、ネットワークカメラ等の図示しない受電装置が接続される。ここで、受電装置は、（１）ＰｏＥ（第１規格）、ＰｏＨ（第２規格）に従った受電装置、（２）ＰｏＥ、ＰｏＨに従っていないが、ベンダー固有規格に従った受電装置、（３）それ以外の装置とする。ここで、ＰｏＥは、ＰｏＨの上位規格である。このため、ＰｏＨに従う受電装置は、ＰｏＥにも従う。しかしながら、ＰｏＥに従う受電装置は、必ずＰｏＨにも従うとは限らない。図１に示すように、ＡＶレシーバー１は、マイクロコンピュータ２、ＰｏＥ用電源３、システム電源４、ＤＣ／ＤＣコンバータ５、ＰｏＥコントローラ６、リレースイッチ７、ＨＤＢａｓｅＴ（登録商標）コントローラ（以下、「ＨＤコントローラ」という。）８、パルストランス９、絶縁回路１０等を備える。
【００２７】
マイクロコンピュータ２（制御部）は、ＡＶレシーバー１を構成する各部を制御する。ＰｏＥ用電源３（電源部）は、ＰｏＥ、ＰｏＨで定められた４８Ｖの電圧（第１電圧）と、２４Ｖの電圧（第２電圧）と、を供給する。ＰｏＥ用電源３は、交流電源からの交流電圧を整流、変圧等して、４８Ｖの電圧と、２４Ｖの電圧と、を供給する。システム電源４は、１２Ｖの電圧を供給する、スタンバイ時に使用される電源である。システム電源４は、交流電源からの交流電圧を整流、変圧等して、１２Ｖの電圧を供給する。ＤＣ／ＤＣコンバータ５は、システム電源４からの電圧を降圧して、３．３Ｖの電圧を生成し、マイクロコンピュータ２、ＨＤコントローラ８に供給する。
【００２８】
ＰｏＥコントローラ６（第１コントローラ）は、ＰｏＥに従った受電装置と通信を行うためのコントローラである。図２は、ＰｏＥコントローラ６による、接続された受電装置の検出、分類の動作を示すフローチャートである。まず、ＰｏＥコントローラ６は、ＰｏＥに従った受電装置を検出したか否かを判断する（Ｓ１）。具体的には、ＰｏＥコントローラ６は、２．８〜１０Ｖの範囲で２つの異なる電位の電圧を受電装置に供給し、受電装置からの電流を測定する。ＰｏＥに従った受電装置は、抵抗値２５ｋΩの検出抵抗を備える。このため、ＰｏＥコントローラ６は、受電装置からの電流が、２５ｋΩに対応していれば、ＰｏＥに従った受電装置を検出したと判断する。ＰｏＥコントローラ６は、ＰｏＥに従った受電装置を検出していないと判断している間は（Ｓ１：Ｎｏ）、例えば、約２秒間隔で、Ｓ２の処理を繰り返し実行する。
【００２９】
ＰｏＥコントローラ６は、ＰｏＥに従った受電装置を検出したと判断した場合（Ｓ１：Ｙｅｓ）、受電装置を所定のクラスに分類できるか否かを判断する（Ｓ２）。具体的には、ＰｏＥコントローラ６は、１０〜７５ｍｓｅｃの間、１５．５〜２０Ｖの電位の電圧を供給し、受電装置からの電流を測定する。
【００３０】
ＰｏＥコントローラ６は、受電装置を所定のクラスに分類できたと判断した場合（Ｓ２：Ｙｅｓ）、状態を示すピン（ＳＴＡＴＵＳピン）をハイレベルとする。マイクロコンピュータ２は、ＰｏＥコントローラ６の状態を示すピンがハイレベルである場合に、ＰｏＥコントローラ６による受電装置の検出、分類が行われ、受電装置に電圧を供給可能である判断する。ＰｏＥコントローラ６は、受電装置を分類できなかったと判断した場合（Ｓ２：Ｎｏ）、処理を終了する。
【００３１】
ＨＤコントローラ８（第２コントローラ）は、ＨＤＢａｓｅＴ（登録商標）に従った受電装置と通信を行うためのコントローラである。ＨＤコントローラ８は、受電装置との接続が確立したと判断した場合、受電装置とのＨＤＢａｓｅＴ（登録商標）の接続を示すピン（ＧＰＩＯピン）をハイレベルとする。マイクロコンピュータ２は、ＨＤコントローラ８の状態を示すピンがハイレベルである場合に、ＨＤコントローラ８による受電装置との接続が確立したと判断する。
【００３２】
パルストランス９は、外部との絶縁を行うためのものである。パルストランス９を介して、ＰｏＥ用電源３からの電圧が受電装置に供給される。リレースイッチ７（切替部）は、ＰｏＥコントローラ６を介してＰｏＥ用電源３に接続される経路（図１に示すＶ１）と、ＰｏＥコントローラ６を介さずＰｏＥ用電源３に接続される経路（図１に示すＶ０）と、を切り替える。絶縁回路１０は、ＰｏＥ用電源３へのラインと、ＰｏＥコントローラ６へのラインと、を絶縁するためのものである。
【００３３】
以下、受電装置に電圧供給を開始する場合のＡＶレシーバー１の動作を、図４に示すフローチャートに基づいて説明する。ＡＶレシーバー１は、システム電源４がオンの状態となると、以下の処理を実行する。マイクロコンピュータ２は、システム電源４がオフの状態では、リレースイッチ７をＶ１側とし、ＰｏＥ用電源３を停止させている。マイクロコンピュータ２は、システム電源４がオンの状態となると、リレースイッチ７をＶ１側とし、ＰｏＥ用電源３を４８Ｖに調整する（Ｓ１１）。
【００３４】
次に、マイクロコンピュータ２は、ＰｏＥコントローラ６による受電装置の検出、分類が行われたか否かを判断する（Ｓ１２）。マイクロコンピュータ２は、ＰｏＥコントローラ６による受電装置の検出、分類が行われたと判断した場合、すなわち、ＰｏＥコントローラ６が、受電装置がＰｏＥに従っていると判断した場合、（Ｓ１２：Ｙｅｓ）、ＨＤコントローラ８による受電装置との接続が確立したか否かを判断する（Ｓ１３）。
【００３５】
マイクロコンピュータ２は、ＨＤコントローラ８による接続が確立したと判断した場合、すなわち、ＨＤコントローラ８が、受電装置がＨＤＢａｓｅＴ（登録商標）に従っていると判断した場合（Ｓ１３：Ｙｅｓ）、ＰｏＥコントローラ６に、受電装置にＰｏＥ用電源３からの４８Ｖ電圧を供給させる（Ｓ１４）。
【００３６】
次に、マイクロコンピュータ２は、受電装置が切断されたか否かを判断する（Ｓ１５）。マイクロコンピュータ２は、ＰｏＥコントローラ６、ＨＤコントローラ８のピンにより、受電装置が切断されたか否かを判断することができる。マイクロコンピュータ２は、受電装置が切断されていないと判断している間は（Ｓ１５：Ｎｏ）、ＰｏＥコントローラ６に、受電装置にＰｏＥ用電源３からの４８Ｖ電圧を供給させる（Ｓ１４）。マイクロコンピュータ２は、受電装置が切断されたと判断した場合（Ｓ１５：Ｙｅｓ）、処理を終了する。
【００３７】
マイクロコンピュータ２は、ＰｏＥコントローラ６による受電装置の検出、分類が行われなかったと判断した場合、すなわち、ＰｏＥコントローラ６が、受電装置がＰｏＥに従っていないと判断した場合、（Ｓ１２：Ｎｏ）、受電装置が備える検出抵抗の抵抗値が１５ｋΩ以上であるか否かを判断する（Ｓ１６）。マイクロコンピュータ２は、ＰｏＥコントローラ６によって測定された受電装置からの電流値に基づいて、受電装置が備える検出抵抗の抵抗値を検出することができる。
【００３８】
マイクロコンピュータ２は、受電装置が備える検出抵抗の抵抗値が１５ｋΩ以上であると判断した場合（Ｓ１６：Ｙｅｓ）、受電装置が備える検出抵抗の抵抗値が３３ｋΩ以上であるか否かを判断する（Ｓ１７）。マイクロコンピュータ２は、受電装置が備える検出抵抗の抵抗値が３３ｋΩ以上であると判断した場合（Ｓ１７：Ｙｅｓ）、ＰｏＥ用電源３の電圧を２４Ｖに調整し、リレースイッチ７をＶ１側に切り替え、ＰｏＥ用電源３からの２４Ｖ電圧を受電装置に供給する（Ｓ１８）。次に、マイクロコンピュータ２は、ＨＤコントローラ８による受電装置との接続が確立したか否かを判断する（Ｓ１９）。マイクロコンピュータ２は、ＨＤコントローラ８による受電装置との接続が確立したと判断した場合（Ｓ１９：Ｙｅｓ）、そのまま、ＰｏＥ用電源３からの２４Ｖ電圧を受電装置に供給し続ける（Ｓ２０）。
【００３９】
次に、マイクロコンピュータ２は、受電装置が切断されたか否かを判断する（Ｓ２１）。マイクロコンピュータ２は、ＨＤコントローラ８のピンにより、受電装置が切断されたか否かを判断することができる。マイクロコンピュータ２は、受電装置が切断されていないと判断している間は（Ｓ２１：Ｎｏ）、受電装置にＰｏＥ用電源３からの２４Ｖ電圧を供給する（Ｓ１４）。マイクロコンピュータ２は、受電装置が切断されたと判断した場合（Ｓ２２：Ｙｅｓ）、処理を終了する。
【００４０】
マイクロコンピュータ２は、受電装置が備える検出抵抗の抵抗値が１５ｋΩ以上ではないと判断した場合（Ｓ１６：Ｎｏ）、受電装置が備える検出抵抗の抵抗値が３３ｋΩ以上ではないと判断した場合（Ｓ１７：Ｎｏ）、処理を終了する。従って、受電装置には電圧が供給されない。また、マイクロコンピュータ２は、ＨＤコントローラ８による受電装置との接続が確立しなかったと判断した場合（Ｓ１９：Ｎｏ）、処理を終了する。従って、マイクロコンピュータ２は、接続された受電装置へのＰｏＥ電源３からの２４Ｖ電圧の供給を停止する。
【００４１】
また、ＨＤコントローラ８による接続が確立しなかったと判断した場合、すなわち、ＨＤコントローラ８が、受電装置がＨＤＢａｓｅＴ（登録商標）に従っていないと判断した場合（Ｓ１３：Ｎｏ）、マイクロコンピュータ２は、処理を終了する。従って、受電装置には電圧が供給されない。
【００４２】
以上説明したように、本実施形態では、マイクロコンピュータ２は、ＰｏＥコントローラ６が、接続された受電装置がＰｏＥに従っていないと判断した場合、その受電装置にＰｏＥ電源３からの２４Ｖ電圧を供給する。これにより、ＰｏＥで定められている４８Ｖ電圧とは異なる２４Ｖ電圧を受電するように設計されている受電装置に適切な電圧を供給することができる。
【００４３】
また、ＰｏＥに従っていない受電装置は、ベンダー固有規格の検出抵抗として、例えば、抵抗値３３ｋΩの検出抵抗を備える。本実施形態では、ＰｏＥコントローラ６が測定した電流に基づいて、受電装置が備える抵抗の抵抗値を検出し、検出した抵抗値が所定の抵抗値（例えば、３３ｋΩ）であり、且つ、ＰｏＥコントローラ６が、接続された受電装置がＰｏＥに従っていないと判断した場合、その受電装置にＰｏＥ用電源３からの２４Ｖ電圧を供給する。これにより、所定の抵抗値の検出抵抗を備える、ベンダー固有規格に従うが、ＰｏＥに従っていない受電装置に、適切な電圧を供給することができる。
【００４４】
また、本実施形態では、マイクロコンピュータ２は、検出した抵抗値が所定の抵抗値ではなく、且つ、ＰｏＥコントローラ６が、接続された受電装置がＰｏＥに従っていないと判断した場合、その受電装置にＰｏＥ用電源３からの電圧を供給しない。これにより、ベンダー固有規格の検出抵抗を有していない、ベンダー固有規格に従っていない受電装置に電圧が供給されることを防止することができる。
【００４５】
また、本実施形態では、マイクロコンピュータ２は、接続された受電装置にＰｏＥ用電源３からの２４Ｖ電圧を供給した後、ＨＤコントローラ８による接続された受電装置との接続が確立しなかった場合、接続された受電装置へのＰｏＥ用電源３からの２４Ｖ電圧の供給を停止する。これにより、ベンダー固有規格に従っていない受電装置に電圧が供給されることを防止することができる。
【００４６】
以上、本発明の実施形態について説明したが、本発明を適用可能な形態は、上述の実施形態には限られるものではなく、以下に例示するように、本発明の趣旨を逸脱しない範囲で適宜変更を加えることが可能である。
【００４７】
上述の実施形態に替えて、以下のようにしてもよい。マイクロコンピュータ２は、ＰｏＥコントローラ６が測定した電流に基づいて、受電装置が備える検出抵抗の抵抗値を検出する。マイクロコンピュータ２は、検出した抵抗値が、３３ｋΩ以上である場合、その受電装置にＰｏＥ電源３からの２４Ｖ電圧（第２電圧）を供給する。また、マイクロコンピュータ２は、検出した抵抗値が、１５ｋΩ以上３３ｋΩ未満である場合、その受電装置にＰｏＥ電源３からの４８Ｖ電圧（第１電圧）を供給する。また、マイクロコンピュータ２は、検出した抵抗値が、１５ｋΩ未満である場合、その受電装置にＰｏＥ電源３からの電圧を供給しない。
【００４８】
上述の実施形態においては、ＡＶレシーバー１は、ＰｏＥ、ＰｏＨに従った４８Ｖ電圧よりも低い２４Ｖ電圧を、ＰｏＥ、ＰｏＨに従っていない受電装置に供給するようになっている。これに限らず、ＰｏＥ、ＰｏＨに従った４８Ｖ電圧よりも高い電圧が、ＰｏＥ、ＰｏＨに従っていない受電装置に供給されるようになっていてもよい。
【００４９】
上述の実施形態においては、ＡＶレシーバー１は、ＰｏＥ、ＰｏＨ、ベンダー固有規格に従った受電装置に電圧を供給するようになっている。これに限らず、ＡＶレシーバー１は、ＰｏＥ、ベンダー固有規格に従った受電装置に電圧を供給するようになっていてもよい。この場合、ＨＤコントローラ８は不要である。また、図４に示すＳ１３の処理は不要である。
【００５０】
上述の実施形態においては、給電装置として、ＡＶレシーバーを例示した。これに限らず、映像再生装置、スイッチングハブ等の他の電子機器であってもよい。
【産業上の利用可能性】
【００５１】
本発明は、ネットワークケーブルを介して受電装置に給電を行う給電装置に好適に採用され得る。
【符号の説明】
【００５２】
１  ＡＶレシーバー（給電装置）
２  マイクロコンピュータ（制御部）
３  ＰｏＥ用電源（電源部）
４  システム電源
５  ＤＣ／ＤＣコンバータ
６  ＰｏＥコントローラ（第１コントローラ）
７  リレースイッチ
８  ＨＤコントローラ（第２コントローラ）
９  パルストランス
【図１】
2017011958.tif 000003
【図２】
2017011958.tif 000004
【図３】
2017011958.tif 000005